(57)【特許請求の範囲】
【請求項１】
透明基板と、透明基板の上に設けられた第一の透明電極と、透明電極の上に設けられた発光層と、発光層の上に設けられた第二の透明電極と、で構成される両面発光パネル式照明器具であって、透明基板に、透明基板の略中央に面する部分に孔部を有する第一の反射材を備え、第二の透明電極に、第二の透明電極の略周縁に面する部分が切り欠かれた第二の反射材を備えてなり、前記第二の透明電極側を取付け側とすることにより、前記第二の透明電極側からは取付け面に対向する方向に向かって略周縁より光が照射されて間接照明になるとともに、前記透明基板側からは取付け面に相反する方向に向かって略中央より光が照射されて直接照明になることを特徴とする両面発光パネル式照明器具。
【請求項２】
第一の反射材は、第二の反射材に対向する部分に孔部を有するものであることを特徴とする請求項１に記載の両面発光パネル式照明器具。
【発明の詳細な説明】
【技術分野】
【０００１】
本発明は、透明基板と、透明基板の上に設けられた第一の透明電極と、透明電極の上に設けられた発光層と、発光層の上に設けられた第二の透明電極と、で構成される両面発光パネル式照明器具に関するものである。
【背景技術】
【０００２】
従来から、くつろぎ感と適切な手元照度を両立させる、快適な照明環境に対する需要が増加してきており、特にくつろぎ感を実現する照明手法として、間接照明と称される手法とこれに用いる照明器具の普及が進んでいる。
【０００３】
間接照明とは、光源から直接到達する光の量を１０％以下にし、光を反射拡散面などに当て、反射光線だけを利用する照明方式をいい、これに用いる照明器具としては、照明器具の取付け面から直接に照射面（通常は取付け面と相反する方向）に向かって光を照射するのではなく、取付け面に対向する方向に光を照射し、この取付け面にて反射拡散された光を照射面に向かって照射するように構成されるものが多い。
【０００４】
なお、間接照明に対するものとして、直接照明があるが、これは光源から直接に照射面に向かって光を照射し、主として適切な手元照度を確保するために使用されるものである。
【０００５】
そのため、くつろぎ感と適切な手元照度を両立させるためには、間接照明と直接照明とを同時に行う必要があるが、照明器具としては、取付け面に対向する方向に光を照射する間接照明器具と取付け面と相反する方向に光を照射する直接照明器具とを備えなければならず、コスト的に不利なものとなっていた。
【０００６】
これを解決する技術として、両面発光パネル式照明器具を開発することで、取付け面と対向する方向及び取付面と相反する方向に同時に光を照射することができると思われ、例えば、特開２００５−２６７９１６号公報（特許文献１）に記載されている技術が参考となると思われる。
【０００７】
これは、両面発光型有機ＥＬ素子からなるパネルの片面に反射放熱構造体のカバーを取外し自在に備えたもので、両面発光と片面発光の切替と放熱構造の両立を実現するものである。
【特許文献１】特開２００５−２６７９１６号公報
【発明の開示】
【発明が解決しようとする課題】
【０００８】
しかしながら、特許文献１記載の技術では、両面発光又は片面発光のいずれかを選択することしかできず、くつろぎ感と適切な手元照度を両立させることは直ちにできない可能性がある。
【０００９】
また、両面発光とした場合には、両面側に均一に光が照射されることとなり、取付け面と対向する方向に照射される光の量を相対的に小さくしてくつろぎ感を得、取付け面と相反する方向に照射される光の量を相対的に大きくして適切な手元照度を得ることが困難となる可能性がある。
【００１０】
本願発明は、上記背景技術に鑑みてなされたものであり、その課題は、一台でかつ簡単な構成の照明器具によりくつろぎ感と適切な手元照度を両立させることができる両面発光パネル式照明器具を提供することである。
【課題を解決するための手段】
【００１１】
上記課題を解決するために、請求項１に記載された発明は、透明基板と、透明基板の上に設けられた第一の透明電極と、透明電極の上に設けられた発光層と、発光層の上に設けられた第二の透明電極と、で構成される両面発光パネル式照明器具であって、透明基板に、透明基板の略中央に面する部分に孔部を有する第一の反射材を備え、第二の透明電極に、第二の透明電極の略周縁に面する部分が切り欠かれた第二の反射材を備えてなり、前記第二の透明電極側を取付け側とすることにより、前記第二の透明電極側からは取付け面に対向する方向に向かって略周縁より光が照射されて間接照明になるとともに、前記透明基板側からは取付け面に相反する方向に向かって略中央より光が照射されて直接照明になることを特徴とすることを特徴とする両面発光パネル式照明器具である。
【００１２】
また請求項２に記載された発明は、第一の反射材は、第二の反射材に対向する部分に孔部を有するものであることを特徴とする請求項１に記載の両面発光パネル式照明器具である。
【発明の効果】
【００１３】
請求項１に記載された発明によれば、第二の透明電極側を取り付け側とすることで、透明基板側からは取付け面に相反する方向に向かって略中央から、第二の透明電極側からは取付け面に対向する方向に向かって略周縁から、それぞれ光を照射することとなり、単純な両面発光パネルの構成のままで、直接照明と間接照明を両立する照明器具を提供することができる。
【００１４】
また、透明基板における第一の反射材の占有面積、及び第二の透明電極における第二の反射材の占有面積を、それぞれ調節することで、間接照明としてのくつろぎ感と直接照明として適切な手元照度とを両立することができる。
【００１５】
請求項２に記載された発明によれば、第一の反射材と第二の反射材とで、重複箇所がないことから、両面発光パネルから出力される光は、反射材の重複に基づく多重反射によるロスがなく、効率よく発光させることができる。
【発明を実施するための最良の形態】
【００１６】
本願発明の一実施形態として、本願の請求項１及び２に対応した両面発光パネル式照明器具１について図１及び図２により説明する。
【００１７】
本実施形態の両面発光パネル式照明器具１は、図１に示す如く、透明基板２と、透明基板２の上に設けられた第一の透明電極３と、第一の透明電極３の上に設けられた発光層４と、発光層４の上に設けられた第二の透明電極５と、で構成される両面発光パネル式照明器具１であって、透明基板２に、透明基板２の略中央に面する部分１０に孔部８を有する第一の反射材６を備え、第二の透明電極５に、第二の透明電極５の略周縁に面する部分１１が切り欠かれた第二の反射材７を備えてなる。
【００１８】
また、第一の反射材６は、第二の反射材７に対向する部分に孔部８を有する。
【００１９】
以下、本実施形態による両面発光パネル式照明器具１を、より具体的詳細に説明する。
【００２０】
両面発光パネル式照明器具１は、上面が閉鎖され下面が開放された略直方体である筺体９の内部に、光源となる両面発光パネルを構成する、透明基板２と、透明基板２の上に設けられた第一の透明電極３と、第一の透明電極３の上に設けられた発光層４と、発光層４の上に設けられた第二の透明電極５と、を備え、さらに透明基板２に面する第一の反射材６及び第二の透明電極５に面する第二の反射材７を備えて構成され、図示しない給電手段からの電力供給を受けて両面発光パネルが光を照射するようになしたものである。
【００２１】
透明基板２は、汎用の透明ガラスであり、本実施形態では３０ｃｍ×３０ｃｍ×２ｍｍの矩形のものを採用している。
【００２２】
第一の透明電極３は、導電性を有する透明部材であり、ＩＴＯやＺｎＯなどの透明電極を使用することができる。本実施形態では、ＩＴＯを真空蒸着法により透明基板２の上に形成するようにしている。スピンコート法やその他定法に従ってもよい。
【００２３】
発光層４は、低分子系あるいは高分子系の有機蛍光材料で形成されるもので、通常は複数の材料が積層されてなり、これが第一の透明電極３と第二の透明電極５とで上下に挟まれた部分が発光領域となる。
【００２４】
また、発光層４は、第一の透明電極３と第二の透明電極５との短絡を防止する絶縁層の機能も果たすものであり、そのため第一の透明電極３に対する給電箇所（図１における第一の透明電極３の左端部）以外の部分を絶縁被覆するように形成される。本実施形態では、発光層４を真空蒸着法により透明基板２の上に形成し、その一部は第一の透明基板３に対する絶縁被覆を完全なものとするために透明基板２に接するものとなっている。形成方法は、スピンコート法やその他定法に従ってもよい。
【００２５】
第二の透明電極５は、第一の透明電極３と同様に、ＩＴＯを真空蒸着法により発光層４の上に形成し、その一部は第二の透明電極５に対する給電箇所（図１における第二の透明電極５の右端部）の取付けを容易なものとするため透明基板２に接するものとなっている。形成方法は、第一の透明電極３と同様である。
【００２６】
また、第二の透明電極５の発光層４に面していない面に、第二の反射材７が備えられている（詳細は後述する）。
【００２７】
なお、第一の透明電極３の給電箇所と第二の透明電極５の給電箇所を除き、第一の透明電極３、発光層４、第二の透明電極５及び第二の反射材７を被覆するように封止層１２が設けられる。封止層１２は、シリコーン樹脂、ガラス系材料等の汎用のものが、照明器具の使用箇所等に応じて適宜選択される。
【００２８】
第一の透明電極３の給電箇所と第二の透明電極５の給電箇所には、クロムメッキ処理、真空蒸着、印刷処理等によって接続用導体が形成され、これが図示しない給電回路からの電力供給を受け、発光層４を発光させることとなる。
【００２９】
第一の反射材６は、外寸が透明基板２と同大同形状のアルミ板であって、その中央部が２２ｃｍ×２２ｃｍの矩形にくりぬかれてなる平面視でロの字形状のものである。これは透明基板２における第一の透明電極３が形成されていない面に、シアノアクリレート系樹脂等の光透過性に優れた接着性樹脂を介して取り付けられる。
【００３０】
第二の反射材７は、外寸が２２ｃｍ×２２ｃｍの矩形のアルミであって、第二の透明電極５の発光層４に面していない面に、第二の反射材７の重心と第一の反射材６の重心が同一軸上になるように、真空蒸着法により形成される。
【００３１】
かかる両面発光パネル式照明器具１は、図示しない給電部品と電気的に接続される取付け栓刃にて、取付け面に設けられたコンセントに差し込まれて固定される。
【００３２】
続いて、本実施形態による両面発光パネル式照明器具１の動作を、より具体的詳細に説明する。
【００３３】
まず、図示しない給電手段から、第一の透明電極３及び第二の透明電極５に直流電力が供給され、これにより発光層４に電流が流れ、発光を開始する。
【００３４】
かかる光は、発光層４の表裏両面（図２における上下両方向）に照射される。
【００３５】
ここで、発光層４から取付け面に対向する方向に向かって照射される光のうち、第二の反射材７に向かう光は、これによって反射されて透明基板２の方向へ照射されることとなる。すなわち，発光層４の略中央からの照射される光はすべて透明基板２の方向、すなわち取付け面に相反する方向へ照射されることとなる。また、発光層４から取付け面に相反する方向に向かって照射される光のうち、第一の反射材６に向かう光は、これによって反射されて取付け面の方向へ照射されることとなる。すなわち，発光層４の略縁部からの照射される光はすべて取付け面の方向、すなわち取付け面に対向する方向へ照射されることとなる。
【００３６】
従って、本実施形態によれば、第二の透明電極５側を取付け面に対向させることで、透明基板２側からは取付け面に相反する方向に向かって略中央から、第二の透明電極５側からは取付け面に対向する方向に向かって略周縁から、それぞれ光を照射することとなり、単純な両面発光パネルの構成のままで、直接照明と間接照明を両立する照明器具を提供することができる。
【００３７】
また、透明基板２における第一の反射材６の占有面積、及び第二の透明電極５における第二の反射材７の占有面積を、それぞれ調節することで、間接照明としてのくつろぎ感と直接照明として適切な手元照度とを両立することができる。
【００３８】
さらに、第一の反射材６と第二の反射材７とで、重複箇所がないことから、両面発光パネルから出力される光は、第一の反射材６と第二の反射材７との重複に基づく多重反射によるロスがなく、効率よく発光させることができる。
【図面の簡単な説明】
【００３９】
【図１】本願発明の一実施形態における両面発光パネル式照明器具の分解斜視図
【図２】図１におけるＡ−Ａ’断面図
【符号の説明】
【００４０】
１      発光パネル式照明器具
２      透明基板
３      第一の透明電極
４      発光層
５      第二の透明電極
６      第一の反射材
７      第二の反射材
８      孔部
１０      透明基板２の略中央に面する部分
１１      第二の透明電極５の略周縁に面する部分
【図１】
0004736952.tif 000002
【図２】
0004736952.tif 000003